(57)【要約】      （修正有）【課題】自転車用方向指示ランプ付自転車は、夜間でも視認性の高い自転車用方向指示ランプを設置することにより、自転車を使用する者の安全を図り、自転車に乗る人々や歩行者、自動車等を運転する者に、より安全性の高い自転車を提供する。【解決手段】自転車部と、該自転車部のハンドル部およびサドル１２０の下に取付けられ、前記自転車の前方又は後方の者に、前記自転車が左右いずれの方向に曲がろうとしているかを知らす方向指示ランプ部１０２、１０４、１０５、１１３と、を有して、前記自転車の前方または後方の者に、前記自転車が左右いずれの方向に曲がろうとしているかを知らすことにより、より安全に、走行できる車方向指示ランプが設置された自転車を構成する。【選択図】図１
0003180435.tif 000002
【実用新案登録請求の範囲】
【請求項１】
自転車部と、
前記自転車部の後部に取付けられ、前記自転車の後方の者に、前記自転車が左右いずれの方向に曲がろうとしているかを知らす方向指示ランプ部と、
前記自転車部の前部に取付けられ、前記自転車の前方の者に、前記自転車が左右いずれの方向に曲がろうとしているかを知らす方向指示ランプ部と、を有して、
前記自転車の前方と後方の者に、前記自転車が左右いずれの方向に曲がろうとしているかを知らす方向指示ランプ部を有していることを特徴とする自転車方向指示ランプ。
【請求項２】
前記請求項１において、
自転車方向指示ランプの電源は乾電池であることを特徴とする自転車方向指示ランプ。
【請求項３】
前記請求項１において、
自転車方向指示ランプの電源はタイヤまたは車輪の軸に取り付けられた発電機であることを特徴とする自転車方向指示ランプ。
【考案の詳細な説明】
【技術分野】
【０００１】
本考案は、主に、省エネルギーと健康の観点から、使用されている自転車に関する。
【０００２】
特に、自転車が右折または左折する際に、第３者に、該自転車が右折または左折しようとすることを知らせて、安全をはかる自転車用方向指示ランプに関する。
【背景技術】
【０００３】
従来は、自動車やバイクには方向指示ランプが取り付けられているものの、自転車にはそのような方向指示ランプは取り付けられてはおらず、片手を挙げて、後続の自動車やバイクに知らせていた。また、先行文献の場合には、手を挙げる代わりに、バーを立てるといったものがある。
【０００４】
しかしながら、片手を挙げたり、手を挙げる代わりに、バーを立てる場合には、瞬間的ではあっても、片手で自動車のハンドルをもっていることとなり、バランスを崩す要因となりやすい。また、夜間の場合には、これらの指示は、視認し難い。
【０００５】
そこで考案者は、ハンドルを握る者の手の指の近くに自転車の方向を指示するスイッチを設けて、少しでも自動車を使用する者の安全を図ると共に、夜間でも視認性の高い自転車用方向指示ランプを考案した。
【先行技術文献】
【特許文献】
【０００６】
【特許文献１】特開２００６−２５６４１６号公報
【考案の概要】
【考案が解決しようとする課題】
【０００７】
本考案は、自転車を使用する者の安全を図ると共に、夜間でも視認性の高い自転車用方向指示ランプを目的とする。
【課題を解決するための手段】
【０００８】
第１の発明は自転車方向指示ランプであって、
自転車部と、
前記自転車部の後部に取付けられ、前記自転車の後方の者に、前記自転車が左右いずれの方向に曲がろうとしているかを知らす方向指示ランプ部と、
前記自転車部の前部に取付けられ、前記自転車の前方の者に、前記自転車が左右いずれの方向に曲がろうとしているかを知らす方向指示ランプ部と、を有して、
前記自転車の前方と後方の者に、前記自転車が左右いずれの方向に曲がろうとしているかを知らす方向指示ランプ部を有していることを特徴とする。
第２の発明は第１の発明に係り、
自転車方向指示ランプの電源は乾電池であることを特徴とする。
第３の発明は第１の発明に係り、
自転車方向指示ランプの電源はタイヤまたは車輪の軸に取り付けられた発電機であることを特徴とする。
【考案の効果】
【０００９】
本考案による自転車用方向指示ランプを設置された自転車を使用すれば、夜間でも視認性の高い自転車を使用する者と歩行者や自動車を運転する者の安全を図ることができ、その結果、自転車に乗る人々に、より安全性の高い自転車を提供できる。
【図面の簡単な説明】
【００１０】
【図１】本考案の自転車用方向指示ランプ（発電機を電源とする場合）の概略の構成を示す、斜視図である。
【図２】本考案の自転車用方向指示ランプ（乾電池を電源とする場合）の概略の構成を示す、斜視図である。
【考案を実施をするための形態】
【００１１】
図１は、本考案に自転車用方向指示ランプ（発電機を電源とする場合）の構成を示す斜視図である。該図1において、
１００は自転車用方向指示ランプが設置された自転車全体を示す概略斜視図である。  以下、図に基づいて、説明する。
【００１２】
図１において、
１００は自転車用方向指示ランプが設置された自転車全体であり、
１０１と１１１は自転車のハンドルに設置されたＴ字型バーに設置された自転車の進行を方向を示す自転車用方向指示ランプである。
【００１３】
１０２は、自転車用方向指示ランプ１０１のうち、自転車の後方に自転車の進行を示すランプである。
１０１は自転車が右折しようとすることを示すランプであり、
１０３は前方の人や車両に、自転車が右折しようとすることを示すランプである。
１０４はサドルの下に設置された自転車が右折しようとすることを、自転車の後方の人又は車両に知らせるランプであり、
１０５は自転車が左折しようとすることを、自転車の後方の人又は車両に知らせるランプである。
１０６は自転車のハンドルに設置されたＴ字型バーである。
１０７は自転車のハンドルに設置されたＴ字型バーの中央部に取付けられた自転車のハドルとＴ字型バーを嵌合するためのバーである。
１０８は自転車の車輪の軸である。
１１０は自転車の進行を方向を示すランプを右折又は左折しようとすることを示すランプを切り替える為のスイッチである。
１１１は自転車のハンドルに設置されたＴ字型バーに設置された自転車の進行を方向を示すランプであり、そのうち、１１３は前方の人や車両に、自転車が左折しようとすることを示す方向指示ランプである。
１１２は後方の人や車両に、自転車が左折しようとすることを示すランプである。
１０９は自転車の発電機である。
１２０は自転車のサドルである。
１２１は自転車のグリップである。
１２２は自転車の自転車用方向指示ランプ（104，105，101，111）と発電機１０９を連結するコードである。
なお、自転車用方向指示ランプのランプ自体については公知であるので、詳細な説明は省略する。
【００１４】
図２は、本考案に自転車用方向指示ランプ（乾電池を電源とする場合）の構成を示す斜視図である。該図２において、
１００は図１と同様に、自転車用方向指示ランプが設置された自転車全体を示す概略斜視図である。
【００１５】
以下、図２に基づいて、説明する。
【００１６】
１０１と１１１は自転車のハンドルに設置されたＴ字型バーに設置された自転車の進行を方向を示す自転車用方向指示ランプである。
【００１７】
１０２は、自転車用方向指示ランプ１０１のうち、自転車の後方に自転車の進行を示すランプである。
【００１８】
１０１は自転車が右折しようとすることを示すランプであり、
１０３は前方の人や車両に、自転車が右折しようとすることを示すランプである。
【００１９】
１０４はサドルの下に設置された自転車が右折しようとすることを、自転車の後方の人又は車両に知らせるランプであり、
１０５は自転車が左折しようとすることを、自転車の後方の人又は車両に知らせるランプである。
【００２０】
１０６は自転車のハンドルに設置されたＴ字型バーである。
【００２１】
１０７は自転車のハンドルに設置されたＴ字型バーの中央部に取付けられた自転車のハドルとＴ字型バーを嵌合するためのバーである。
【００２２】
１１０は自転車の進行を方向を示すランプを右折又は左折しようとすることを示すランプを切り替える為のスイッチである。
【００２３】
１１１は自転車のハンドルに設置されたＴ字型バーに設置された自転車の進行を方向を示す方向指示ランプであり、そのうち、１１３は前方の人や車両に、自転車が左折しようとすることを示すランプである。
【００２４】
１１２は後方の人や車両に、自転車が左折しようとすることを示すランプである。
【００２５】
１２２は自転車の自転車用方向指示ランプ（104，105，101，111）と乾電池ボックス２０１を連結するコードである。
【００２６】
２０１は乾電池を収納する乾電池ボックスである。
【００２７】
なお、自転車用方向指示ランプ１００のランプ自体については公知であるので、詳細な説明は省略する。
【産業上の利用可能性】
【００２８】
本考案により、消費者の求め易い価格で、自転車用方向指示ランプが設置された自転車を提供でき、自転車の増産を招くと思われる。
【符号の説明】
【００２９】
１００は自転車用方向指示ランプが設置された自転車全体
１０１は自転車用方向指示ランプ
１０２は自転車が右折しようとすることを示すランプ
１０３は自転車が右折しようとすることを示すランプ
１０４はサドルの下に設置された自転車が右折しようとすることを、自転車の後方の人又は車両に知らせるランプ
１０５は自転車が左折しようとすることを、自転車の後方の人又は車両に知らせるランプ
１０６は自転車のハンドルに設置されたＴ字型バー
１０７は自転車のハンドルに設置されたＴ字型バーの中央部に取付けられた自転車のハドルとＴ字型バーを嵌合するためのバー
１０８は自転車の車輪の軸
１０９は発電機
１１０は自転車用方向指示ランプのスイッチ
１１１は自転車用方向指示ランプ
１１２は自転車が左折しようとすることを示すランプ
１１３は自転車が左折しようとすることを示すランプ
１２０は自転車のサドル
１２１は自転車のグリップ
【図１】
0003180435.tif 000003
【図２】
0003180435.tif 000004